【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
液体の検体を収容する検体容器を有する第１保持部、
試薬を収容する試薬容器を有する第２保持部、
前記検体と前記試薬を収容して反応させる反応容器を有する第３保持部、
前記検体と前記試薬を分注する分注ノズルを有する分注機構、
を備え、
前記第１、第２、および第３保持部は、前記第１保持部の鉛直方向における射影、前記第２保持部の鉛直方向における射影、および前記第３保持部の鉛直方向における射影のうち少なくとも２つが互いに重なる部分を有する位置に配置されており、
前記第１、第２、および第３保持部のうち鉛直方向の最上方に配置されているいずれか１つは、前記分注ノズルを貫通させる穴を有しており、
前記第３保持部は、前記第１保持部よりも鉛直方向上方に配置されており、
前記第２保持部は、前記第３保持部よりも鉛直方向上方に配置されており、
前記第１保持部の前記射影と前記第３保持部の前記射影は、互いに重なる部分を有しており、
前記第３保持部の前記射影と前記第２保持部の前記射影は、互いに重なる部分を有しており、
前記第３保持部は、前記分注ノズルを貫通させる穴を有しており、
前記第２保持部は、前記分注ノズルを貫通させる穴を有している
ことを特徴とする分析装置。
【請求項２】
液体の検体を収容する検体容器を有する第１保持部、
試薬を収容する試薬容器を有する第２保持部、
前記検体と前記試薬を収容して反応させる反応容器を有する第３保持部、
前記検体と前記試薬を分注する分注ノズルを有する分注機構、
を備え、
前記第１、第２、および第３保持部は、前記第１保持部の鉛直方向における射影、前記第２保持部の鉛直方向における射影、および前記第３保持部の鉛直方向における射影のうち少なくとも２つが互いに重なる部分を有する位置に配置されており、
前記第１、第２、および第３保持部のうち鉛直方向の最上方に配置されているいずれか１つは、前記分注ノズルを貫通させる穴を有しており、
前記第２保持部は、前記第１保持部よりも鉛直方向上方に配置されており、
前記第３保持部は、前記第２保持部よりも鉛直方向上方に配置されており、
前記第１保持部の前記射影と前記第３保持部の前記射影は、互いに重なる部分を有しており、
前記第３保持部の前記射影と前記第２保持部の前記射影は、互いに重なる部分を有しており、
前記第３保持部は、前記分注ノズルを貫通させる穴を有している
ことを特徴とする分析装置。
【請求項３】
液体の検体を収容する検体容器を有する第１保持部、
試薬を収容する試薬容器を有する第２保持部、
前記検体と前記試薬を収容して反応させる反応容器を有する第３保持部、
前記検体と前記試薬を分注する分注ノズルを有する分注機構、
を備え、
前記第１、第２、および第３保持部は、前記第１保持部の鉛直方向における射影、前記第２保持部の鉛直方向における射影、および前記第３保持部の鉛直方向における射影のうち少なくとも２つが互いに重なる部分を有する位置に配置されており、
前記第１、第２、および第３保持部のうち鉛直方向の最上方に配置されているいずれか１つは、前記分注ノズルを貫通させる穴を有しており、
前記第２保持部と前記第３保持部は、前記第１保持部よりも鉛直方向上方に配置されており、
前記第１保持部の前記射影と前記第３保持部の前記射影は、互いに重なる部分を有しており、
前記第３保持部は、前記分注ノズルを貫通させる穴を有しており、
前記分注機構は、前記検体を分注する検体分注機構と、前記試薬を分注する試薬分注機構とを有し、
前記検体分注機構は、鉛直方向においてのみ前記分注ノズルを移動させることができるように構成されており、
前記試薬分注機構は、鉛直方向と水平方向に前記分注ノズルを移動させることができるように構成されている
ことを特徴とする分析装置。
【請求項４】
前記分注機構は、前記検体を分注する検体分注機構と、前記試薬を分注する試薬分注機構とを有し、
前記検体分注機構と前記試薬分注機構は、鉛直方向においてのみ前記分注ノズルを移動させることができるように構成されている
ことを特徴とする請求項１記載の分析装置。
【請求項５】
前記第２保持部は、前記第２保持部が有する前記穴の水平方向における位置を前記反応容器の水平方向における位置と合わせるように前記第２保持部を移動させることができるように構成されており、
前記第３保持部は、前記第３保持部が有する前記穴の水平方向における位置を前記検体容器の水平方向における位置と合わせるように前記第３保持部を移動させることができるように構成されている
ことを特徴とする請求項１記載の分析装置。
【請求項６】
前記第１保持部と前記第２保持部は、回転軸の周りで回転可能に構成されており、
前記第３保持部は、前記反応容器の位置を水平方向の直線に沿って移動させることができるように構成されており、
前記分注機構は、前記検体を分注する検体分注機構と、前記試薬を分注する試薬分注機構とを有し、
前記検体分注機構と前記試薬分注機構は、鉛直方向においてのみ前記分注ノズルを移動させることができるように構成されている
ことを特徴とする請求項１記載の分析装置。
【請求項７】
前記第１保持部は、回転軸の周りで回転可能に構成されており、
前記第２保持部は、前記試薬容器の位置を水平方向の第１方向に沿って移動させることができるように構成されており、
前記第３保持部は、前記反応容器の位置を水平方向の前記第１方向とは異なる第２方向に沿って移動させることができるように構成されており、
前記分注機構は、前記検体を分注する検体分注機構と、前記試薬を分注する試薬分注機構とを有し、
前記検体分注機構と前記試薬分注機構は、鉛直方向においてのみ前記分注ノズルを移動させることができるように構成されている
ことを特徴とする請求項１記載の分析装置。
【請求項８】
分析装置を用いて液体の検体を分析する分析方法であって、
前記分析装置は、
液体を収容する容器を有する第１、第２、および第３保持部、
前記液体を分注する分注ノズルを有する分注機構、
を備え、
前記第１、第２、および第３保持部は、前記第１保持部の鉛直方向における射影、前記第２保持部の鉛直方向における射影、および前記第３保持部の鉛直方向における射影のうち少なくとも２つが互いに重なる部分を有する位置に配置されており、
前記第１、第２、および第３保持部のうち少なくともいずれかは、前記分注ノズルを貫通させる穴を有しており、
前記分析方法は、
前記分注ノズルを前記穴に対して貫通させることにより、前記第１、第２、および第３保持部のうち前記穴の下方に配置されたものに対して、前記分注ノズルを到達させるステップを有する
ことを特徴とする分析方法。
【請求項９】
前記第１保持部は、前記検体を収容する検体容器を有しており、
前記第２保持部または前記第３保持部のうち少なくともいずれかは、前記第１保持部の鉛直方向上方に配置されており、
前記分析方法は、
前記穴の水平方向における位置と前記分注ノズルの水平方向における位置を位置合わせするステップ、
前記位置合わせした位置において前記検体容器が収容している前記検体を前記分注ノズルによって分注するステップ、
を有することを特徴とする請求項８記載の分析方法。
【請求項１０】
前記第２保持部は、前記検体と反応させる試薬を収容する試薬容器を有しており、
前記第３保持部は、前記検体と前記試薬を収容して反応させる反応容器を有しており、  前記分析方法は、
前記穴の水平方向における位置と前記分注ノズルの水平方向における位置を位置合わせするステップ、
前記位置合わせした位置において前記試薬容器が収容している前記試薬を前記分注ノズルによって吸引するステップ、
前記位置合わせした位置において前記試薬を前記反応容器に対して前記分注ノズルによって吐出するステップ、
を有することを特徴とする請求項８記載の分析方法。